(57)【要約】【課題】呼制御プロトコルの違いを吸収し、通信キャリアの認定を容易に取得する【解決手段】網側プロトコル変換部１１が、ＩＰ電話網ＮＷから受信した網側ＩＰ呼制御メッセージＭｉｐ１をＩＳＤＮ呼制御メッセージＭｉｓｄｎ１に変換して出力するとともに、入力されたＩＳＤＮ呼制御メッセージＭｉｓｄｎ２を網側ＩＰ呼制御メッセージＭｉｐ２に変換してＩＰ電話網へ送信し、ＰＢＸ側プロトコル変換部１２が、網側プロトコル変換部１１から入力されたＩＳＤＮ呼制御メッセージＭｉｓｄｎ１を、ＰＢＸ側ＩＰ呼制御メッセージＭｐｂｘ１に変換してＩＰ−ＰＢＸ２０へ送信するとともに、ＩＰ−ＰＢＸ２０から受信したＰＢＸ側ＩＰ呼制御メッセージＭｐｂｘ２を、ＩＳＤＮ呼制御メッセージＭｉｓｄｎ２に変換して網側プロトコル変換部１１へ出力する。【選択図】  図１
2019062282.tif 000002
【特許請求の範囲】
【請求項１】
ＩＰ電話網とＩＰ−ＰＢＸとの間に接続されて、ＩＰ用の呼制御プロトコルを相互に変換するＩＰゲートウェイ装置であって、
前記ＩＰ電話網から受信した第１の網側ＩＰ呼制御メッセージを第１のＩＳＤＮ呼制御メッセージに変換して出力するとともに、入力された第２のＩＳＤＮ呼制御メッセージを第２の網側ＩＰ呼制御メッセージに変換して前記ＩＰ電話網へ送信する網側プロトコル変換部と、
前記網側プロトコル変換部から入力された前記第１のＩＳＤＮ呼制御メッセージを、第１のＰＢＸ側ＩＰ呼制御メッセージに変換して前記ＩＰ−ＰＢＸへ送信するとともに、前記ＩＰ−ＰＢＸから受信した第２のＰＢＸ側ＩＰ呼制御メッセージを、前記第２のＩＳＤＮ呼制御メッセージに変換して前記網側プロトコル変換部へ出力するＰＢＸ側プロトコル変換部と
を備えることを特徴とするＩＰゲートウェイ装置。
【請求項２】
ＩＰ電話網とＩＰ−ＰＢＸとを中継接続する際に、ＩＰ用の呼制御プロトコルを相互に変換する呼制御プロトコル変換方法であって、
網側プロトコル変換部が、前記ＩＰ電話網から受信した第１の網側ＩＰ呼制御メッセージを第１のＩＳＤＮ呼制御メッセージに変換して出力するとともに、入力された第２のＩＳＤＮ呼制御メッセージを第２の網側ＩＰ呼制御メッセージに変換して前記ＩＰ電話網へ送信する網側プロトコル変換ステップと、
ＰＢＸ側プロトコル変換部が、前記網側プロトコル変換ステップから入力された前記第１のＩＳＤＮ呼制御メッセージを、第１のＰＢＸ側ＩＰ呼制御メッセージに変換して前記ＩＰ−ＰＢＸへ送信するとともに、前記ＩＰ−ＰＢＸから受信した第２のＰＢＸ側ＩＰ呼制御メッセージを、前記第２のＩＳＤＮ呼制御メッセージに変換して前記網側プロトコル変換ステップへ出力するＰＢＸ側プロトコル変換ステップと
を備えることを特徴とする呼制御プロトコル変換方法。
【発明の詳細な説明】
【技術分野】
【０００１】
本発明は、ＩＰ回線で用いる呼制御プロトコルを変換する呼制御プロトコル変換技術に関する。
【背景技術】
【０００２】
近年、複数の通信キャリア（プロバイダ）でＩＰ電話サービスが提供されており、任意の通信キャリアからのＩＰ回線をＩＰ−ＰＢＸに収容することにより、その通信キャリアが提供するＩＰ電話サービスを利用することができる。
例えば、非特許文献１のようなＩＰ−ＰＢＸでは、マルチチャネルＩＰ電話サービスや、専用のＩＰ電話網を用いた拠点間ＶｏＩＰに対応しており、通話料金さらには通信コストを大幅に低減することができる。
【０００３】
このようなＩＰ回線では、ＳＩＰ（Session Initiation Protocol）に代表されるＩＰ用の呼制御プロトコルが用いられる。例えば、ＳＩＰは、ＩＥＴＦ（The Internet Engineering Task Force）の規格として標準化されているが、呼制御メッセージのタイミングなど、細かな点で自由度がある。
したがって、ＩＰ−ＰＢＸにおいて、各通信キャリアのＩＰ回線を収容できるようにするには、すべての通信キャリアのローカルな呼制御プロトコルに対応する必要がある。
【０００４】
従来、このような通信キャリア間における呼制御プロトコルの違いを吸収するＩＰゲートウェイ装置として、ＳＢＣ（Session Border Controller：セッションボーダーコントローラ）がある。ＳＢＣは、異なるＩＰ電話網間に接続されて、これらＩＰ電話網に収容されている端末間におけるＩＰ電話サービス等を中継する装置である。
したがって、このようなＳＢＣを、ＩＰ回線とＩＰ−ＰＢＸとの間に設けることにより、ＩＰ−ＰＢＸにおいて各通信キャリアのＩＰ回線を収容することができる。
【先行技術文献】
【非特許文献】
【０００５】
【非特許文献１】「VoIP制御・セッション・ボーダー・コントローラー」、ＮＥＣ、平成29年06月16日検索、http://www.nesic.co.jp/solution/voice/sbc.html
【発明の概要】
【発明が解決しようとする課題】
【０００６】
しかしながら、このような従来技術によれば、ＳＢＣとＩＰ−ＰＢＸとの組み合わせごとに、各通信キャリアの認定を得る必要がある。このため、これらＳＢＣやＩＰ−ＰＢＸの提供者において大きな負担となるとともに、多種多様なＩＰ−ＰＢＸを想定した場合、各通信キャリアの認定を得るのは現実的に難しいという問題点があった。
【０００７】
通常、通信キャリアのＩＰ回線に接続する通信装置は、それぞれの通信キャリアで用いる呼制御プロトコルなどの技術的条件に適合しているという認定を得る必要がある。ＳＢＣの場合、その配下に接続されるＩＰ−ＰＢＸの呼制御プロトコルの違いに応じて、ＳＢＣの動作も変化するため、ＳＢＣ単独で認定を受けることはできず、ＳＢＣとＩＰ−ＰＢＸとの組み合わせで認定を受ける必要がある。
【０００８】
本発明はこのような課題を解決するためのものであり、呼制御プロトコルの違いを吸収できるとともに、通信キャリアの認定を容易に取得できる呼制御プロトコル変換技術を提供することを目的としている。
【課題を解決するための手段】
【０００９】
このような目的を達成するために、本発明にかかるＩＰゲートウェイ装置は、ＩＰ電話網とＩＰ−ＰＢＸとの間に接続されて、ＩＰ用の呼制御プロトコルを相互に変換するＩＰゲートウェイ装置であって、前記ＩＰ電話網から受信した第１の網側ＩＰ呼制御メッセージを第１のＩＳＤＮ呼制御メッセージに変換して出力するとともに、入力された第２のＩＳＤＮ呼制御メッセージを第２の網側ＩＰ呼制御メッセージに変換して前記ＩＰ電話網へ送信する網側プロトコル変換部と、前記網側プロトコル変換部から入力された前記第１のＩＳＤＮ呼制御メッセージを、第１のＰＢＸ側ＩＰ呼制御メッセージに変換して前記ＩＰ−ＰＢＸへ送信するとともに、前記ＩＰ−ＰＢＸから受信した第２のＩＳＤＮ呼制御メッセージを、前記第２のＩＳＤＮ呼制御メッセージに変換して前記網側プロトコル変換部へ出力するＰＢＸ側プロトコル変換部とを備えている。
【００１０】
また、本発明にかかる呼制御プロトコル変換方法は、ＩＰ電話網とＩＰ−ＰＢＸとを中継接続する際に、ＩＰ用の呼制御プロトコルを相互に変換する呼制御プロトコル変換方法であって、網側プロトコル変換部が、前記ＩＰ電話網から受信した第１の網側ＩＰ呼制御メッセージを第１のＩＳＤＮ呼制御メッセージに変換して出力するとともに、入力された第２のＩＳＤＮ呼制御メッセージを第２の網側ＩＰ呼制御メッセージに変換して前記ＩＰ電話網へ送信する網側プロトコル変換ステップと、ＰＢＸ側プロトコル変換部が、前記網側プロトコル変換ステップから入力された前記第１のＩＳＤＮ呼制御メッセージを、第１のＰＢＸ側ＩＰ呼制御メッセージに変換して前記ＩＰ−ＰＢＸへ送信するとともに、前記ＩＰ−ＰＢＸから受信した第２のＩＳＤＮ呼制御メッセージを、前記第２のＩＳＤＮ呼制御メッセージに変換して前記網側プロトコル変換ステップへ出力するＰＢＸ側プロトコル変換ステップとを備えている。
【発明の効果】
【００１１】
本発明によれば、呼制御プロトコルの違いを吸収できるとともに、通信キャリアの認定を容易に取得することが可能となる。
【図面の簡単な説明】
【００１２】
【図１】ＩＰゲートウェイ装置の構成を示すブロック図である。
【発明を実施するための形態】
【００１３】
次に、本発明の一実施の形態について図面を参照して説明する。
［ＩＰゲートウェイ装置］
まず、図１を参照して、本発明の第１の実施の形態にかかるＩＰゲートウェイ装置１０について説明する。図１は、ＩＰゲートウェイ装置の構成を示すブロック図である。
このＩＰゲートウェイ装置１０は、ＩＰ電話網ＮＷとＩＰ−ＰＢＸ２０との間に接続されて、ＩＰ電話網ＮＷとＩＰ−ＰＢＸ２０とを中継接続する際に、ＩＰ用の呼制御プロトコルを相互に変換する機能を有している。
【００１４】
ＩＰ−ＰＢＸ２０は、ＰＢＸ側ＩＰ回線Ｌ２を介してＩＰゲートウェイ装置１０に接続されて、内線回線Ｌ３を介して収容しているＩＰ電話端末３０をＰＢＸ側ＩＰ回線Ｌ２に交換接続することにより、網側ＩＰ回線Ｌ１で提供されている電話サービスをＩＰ電話端末３０に提供する機能を有している。
【００１５】
ＩＰゲートウェイ装置１０は、主な機能部として、網側プロトコル変換部１１、ＰＢＸ側プロトコル変換部１２、網側ＲＴＰ処理部１３、およびＰＢＸ側ＲＴＰ処理部１４を備えている。
【００１６】
網側プロトコル変換部１１は、ＩＰ電話網ＮＷの網側呼制御プロトコルとＩＳＤＮで用いられるＩＳＤＮ呼制御プロトコルとを、相互に変換する機能を有している。
具体的には、網側プロトコル変換部１１は、ＩＰ電話網ＮＷから受信した、網側呼制御プロトコルに基づく網側ＩＰ呼制御メッセージ（第１の網側ＩＰ呼制御メッセージ）Ｍｉｐ１を、ＩＳＤＮ呼制御プロトコルに基づくＩＳＤＮ呼制御メッセージ（第１のＩＳＤＮ呼制御メッセージ）Ｍｉｓｄｎ１に変換してＰＢＸ側プロトコル変換部１２に出力する機能を有している。
【００１７】
また、網側プロトコル変換部１１は、ＰＢＸ側プロトコル変換部１２から入力された、ＩＳＤＮ呼制御プロトコルに基づくＩＳＤＮ呼制御メッセージ（第２のＩＳＤＮ呼制御メッセージ）Ｍｉｓｄｎ２を、網側呼制御プロトコルに基づく網側ＩＰ呼制御メッセージ（第２の網側ＩＰ呼制御メッセージ）Ｍｉｐ２に変換してＩＰ電話網ＮＷへ送信する機能とを有している。
【００１８】
ＰＢＸ側プロトコル変換部１２は、ＩＳＤＮ呼制御プロトコルとＩＰ−ＰＢＸ２０のＰＢＸ側呼制御プロトコルとを、相互に変換する機能を有している。
具体的には、ＰＢＸ側プロトコル変換部１２は、網側プロトコル変換部１１から入力された、ＩＳＤＮ呼制御プロトコルに基づくＩＳＤＮ呼制御メッセージ（第１のＩＳＤＮ呼制御メッセージ）Ｍｉｓｄｎ１を、ＰＢＸ側呼制御プロトコルに基づくＰＢＸ側ＩＰ呼制御メッセージ（第１のＰＢＸ側ＩＰ呼制御メッセージ）Ｍｐｂｘ１に変換してＩＰ−ＰＢＸ２０へ送信する機能を有している。
【００１９】
また、ＰＢＸ側プロトコル変換部１２は、ＩＰ−ＰＢＸ２０から受信したＰＢＸ側呼制御プロトコルに基づくＰＢＸ側ＩＰ呼制御メッセージ（第２のＰＢＸ側ＩＰ呼制御メッセージ）Ｍｐｂｘ２を、ＩＳＤＮ呼制御プロトコルに基づくＩＳＤＮ呼制御メッセージ（第２のＩＳＤＮ呼制御メッセージ）Ｍｉｓｄｎ２に変換して網側プロトコル変換部１１に出力する機能とを備えている。
【００２０】
網側ＲＴＰ処理部１３は、網側ＩＰ回線Ｌ１を介してＩＰ電話網ＮＷと接続されて、Ｌ１を介してＩＰ電話網ＮＷとの間でやり取りする網側ＲＴＰ音声データＤｉｐ１，Ｄｉｐ２と、ＰＢＸ側ＲＴＰ処理部１４との間でやり取りする内部音声データＤｉｓｄｎ１，Ｄｉｓｄｎ２とを、相互に変換する機能を有している。
【００２１】
ＰＢＸ側ＲＴＰ処理部１４は、ＰＢＸ側ＩＰ回線Ｌ２を介してＩＰ−ＰＢＸ２０と接続されて、網側ＲＴＰ処理部１３との間でやり取りする内部音声データＤｉｓｄｎ１，Ｄｉｓｄｎ２と、Ｌ２を介してＩＰ−ＰＢＸ２０との間でやり取りするＰＢＸ側ＲＴＰ音声データＤｐｂｘ１，Ｄｐｂｘ２とを、相互に変換する機能を有している。
【００２２】
この際、内部音声データＤｉｓｄｎ１，Ｄｉｓｄｎ２は、半導体メモリを介して網側ＲＴＰ処理部１３とＰＢＸ側ＲＴＰ処理部１４との間で内部転送される。この際のデータ形式は、音声信号をコーデックで符号化して得られる符号化音声データのデータ形式や、ＩＳＤＮのＢチャンネルで送受信されるデータ形式など、一般的な音声データ形式であればよい。なお、内部音声データＤｉｓｄｎ１，Ｄｉｓｄｎ２の内部転送については、一般的なＩＰゲートウェイ装置で使用されている公知の手法を用いてもよい。
【００２３】
したがって、ＩＰ電話網ＮＷから送信された網側ＩＰ呼制御メッセージＭｉｐ１は、Ｌ１を介してＩＰゲートウェイ装置１０で受信され、網側プロトコル変換部１１で、一旦、ＩＳＤＮ呼制御メッセージＭｉｓｄｎ１に変換され、続くＰＢＸ側プロトコル変換部１２で、ＰＢＸ側ＩＰ呼制御メッセージＭｐｂｘ１に変換された後、Ｌ２を介してＩＰ−ＰＢＸ２０へ送信される。
一方、ＩＰ−ＰＢＸ２０から送信されたＰＢＸ側ＩＰ呼制御メッセージＭｐｂｘ２は、Ｌ２を介してＩＰゲートウェイ装置１０で受信され、ＰＢＸ側プロトコル変換部１２で、一旦、ＩＳＤＮ呼制御メッセージＭｉｓｄｎ２に変換され、続く網側プロトコル変換部１１で、網側ＩＰ呼制御メッセージＭｉｐ２に変換された後、Ｌ１を介してＩＰ電話網ＮＷへ送信される。
【００２４】
また、ＩＰ電話網ＮＷから送信された網側ＲＴＰ音声データＤｉｐ１は、Ｌ１を介してＩＰゲートウェイ装置１０で受信され、網側ＲＴＰ処理部１３で、一旦、内部音声データＤｉｓｄｎ１に変換され、続くＰＢＸ側ＲＴＰ処理部１４で、ＰＢＸ側ＲＴＰ音声データＤｐｂｘ１に変換された後、Ｌ２を介してＩＰ−ＰＢＸ２０へ送信される。
【００２５】
一方、ＩＰ−ＰＢＸ２０から送信されたＰＢＸ側ＲＴＰ音声データＤｐｂｘ２は、Ｌ２を介してＩＰゲートウェイ装置１０で受信され、ＰＢＸ側ＲＴＰ処理部１４で、一旦、内部音声データＤｉｓｄｎ２に変換され、続く網側ＲＴＰ処理部１３で、網側ＲＴＰ音声データＤｉｐ２に変換された後、Ｌ１を介してＩＰ電話網ＮＷへ送信される。
【００２６】
一般に、ＩＳＤＮ（Integrated Services Digital Network）の呼制御プロトコルは、ＳＩＰなどのＩＰ用の呼制御プロトコルと比較して、その自由度は極めて狭い。したがって、ＩＰ用の呼制御プロトコルを、一旦、ＩＳＤＮの呼制御プロトコルに変換して、元のＩＰ用の呼制御プロトコルに再変換すれば、ＩＰ用の呼制御プロトコルをＩＳＤＮの呼制御プロトコルで正規化することができる。
【００２７】
本発明のＩＰゲートウェイ装置１０によれば、ＰＢＸ側プロトコル変換部１２で、ＩＰ−ＰＢＸ２０から送信されたＰＢＸ側ＩＰ呼制御メッセージＭｐｂｘ２が、一旦、ＩＳＤＮ呼制御メッセージＭｉｓｄｎ２に変換された後、網側ＩＰ呼制御メッセージＭｉｐ２に再変換される。このため、各種ＩＰ−ＰＢＸ２０で呼制御プロトコルに違いがあっても、この違いがＩＳＤＮの呼制御プロトコルで正規化される。このため、網側プロトコル変換部１１から送信される網側ＩＰ呼制御メッセージＭｉｐ２は、ＩＰ−ＰＢＸ２０間の呼制御プロトコルの違いによる影響は受けないことになる。
したがって、ＩＰゲートウェイ装置１０とＩＰ−ＰＢＸとの組み合わせで通信キャリアの認定を受ける必要はなく、ＩＰゲートウェイ装置１０だけで認定を受けることが可能となる。
【００２８】
［第１の実施の形態の効果］
このように、本実施の形態は、網側プロトコル変換部１１が、ＩＰ電話網ＮＷから受信した網側ＩＰ呼制御メッセージＭｉｐ１をＩＳＤＮ呼制御メッセージＭｉｓｄｎ１に変換して出力するとともに、入力されたＩＳＤＮ呼制御メッセージＭｉｓｄｎ２を網側ＩＰ呼制御メッセージＭｉｐ２に変換してＩＰ電話網ＮＷへ送信し、ＰＢＸ側プロトコル変換部１２が、網側プロトコル変換部１１から入力されたＩＳＤＮ呼制御メッセージＭｉｓｄｎ１を、ＰＢＸ側ＩＰ呼制御メッセージＭｐｂｘ１に変換してＩＰ−ＰＢＸ２０へ送信するとともに、ＩＰ−ＰＢＸ２０から受信したＰＢＸ側ＩＰ呼制御メッセージＭｐｂｘ２を、ＩＳＤＮ呼制御メッセージＭｉｓｄｎ２に変換して網側プロトコル変換部１１へ出力するようにしたものである。
【００２９】
これにより、ＩＰゲートウェイ装置１０で受信したＩＰ用呼制御プロトコルのＭｉｐ１，Ｍｐｂｘ２が、一旦、ＩＳＤＮの呼制御プロトコルのＭｉｓｄｎ１，Ｍｉｓｄｎ２に変換された後、ＩＰ用呼制御プロトコルのＭｐｂｘ１，Ｍｉｐ２に再変換されて、ＩＰゲートウェイ装置１０から送信される。
したがって、ＩＰ電話網ＮＷ間あるいはＩＰ−ＰＢＸ２０間で、ＩＰ用呼制御プロトコルに違いがあっても、この違いがＩＳＤＮの呼制御プロトコルで正規化されることになる。
【００３０】
このため、例えば、網側プロトコル変換部１１から送信される網側ＩＰ呼制御メッセージＭｉｐ２は、ＩＰ−ＰＢＸ２０間の呼制御プロトコルの違いによる影響は受けないことになる。これにより、ＩＰゲートウェイ装置１０とＩＰ−ＰＢＸとの組み合わせで通信キャリアの認定を受ける必要はなく、ＩＰゲートウェイ装置１０だけで認定を受けることができる。したがって、呼制御プロトコルの違いを吸収できるとともに、通信キャリアの認定を容易に取得することが可能となる。
【００３１】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００３２】
１０…ＩＰゲートウェイ装置、１１…網側プロトコル変換部、１２…ＰＢＸ側プロトコル変換部、１３…網側ＲＴＰ処理部、１４…ＰＢＸ側ＲＴＰ処理部、２０…ＩＰ−ＰＢＸ、３０…ＩＰ電話端末、ＮＷ…ＩＰ電話網、Ｌ１…網側ＩＰ回線、Ｌ２…ＰＢＸ側ＩＰ回線、Ｌ３…内線回線、Ｍｉｐ１，Ｍｉｐ２…網側ＩＰ呼制御メッセージ、Ｍｉｓｄｎ１，Ｍｉｓｄｎ２…ＩＳＤＮ呼制御メッセージ、Ｍｐｂｘ１，Ｍｐｂｘ２…ＰＢＸ側ＩＰ呼制御メッセージ、Ｄｉｐ１，Ｄｉｐ２…網側ＲＴＰ音声データ、Ｄｉｓｄｎ１，Ｄｉｓｄｎ２…内部音声データ、Ｄｐｂｘ１，Ｄｐｂｘ２…ＰＢＸ側ＲＴＰ音声データ。
【図１】
2019062282.tif 000003